(57)【特許請求の範囲】
【請求項１】
一枚又は複数枚の接合で所定の床の上に敷きつめられる床パネルにおいて、略板状に発泡プラスチックで形成された床パネル本体（１）と、略床パネル本体（１）の上面に積層された硬質相としての樹脂成分と軟質相としてのゴム成分からなる床パネル本体（１）と接着性の高いエラストマー（３）からなる床面部（２）と前記床パネル本体（１）の間に補強繊維を介装したことを特徴とする床パネル。
【請求項２】
前記エラストマー（３）が、ポリウレタン系熱可塑性エラストマーである請求項１記載の床パネル。
【発明の詳細な説明】
【０００１】
【産業上の利用分野】
本発明は一枚又は複数枚連続して敷きつめることによりベランダやバルコニーを形成する床パネルに係り、特に軽量であると共に接続が簡易でありつつ防水性が高く、さらに、表面層の弾力性の高い床パネルに関する。
【０００２】
【従来の技術】
従来、バルコニーやベランダに防水性を施す手段として、本出願人は予め製造された床パネルを現場で敷設する手段を開示している（特願平５ー２８４３４１号）。この床パネルは、曲げ弾性率と圧縮永久歪みを特定することによって、従来から使用されていたＦＲＰ（繊維補強プラスチック）製のものより軽量化されたものであって有用な手段である。
【０００３】
【発明が解決しようとする課題】
しかしながら、このような物性の限定した技術だけでは、床面たる床パネルの上面の防水性、耐久性、長期的な弾力性の維持という点に課題があった。なお、この課題に対し、上記出願ではフイルムの積層により前記課題を解消させているが、長期的な弾力性の維持という点では解決の度合いの低いものであった。また、フイルムの積層では剥離が生じ易いという課題もあった。特に、床パネルを複数枚で形成する場合の接合部分での剥離に問題があり、防水性に欠けるという問題の原因となっていた。
【０００４】
したがって、本発明の目的は、床パネルとしての防水性や耐久性及び長期的な弾力性が良く、さらには床面層が剥離し難い床パネルを提供することにある。
【０００５】
【課題を解決する手段】
本発明者らは、上記に鑑み鋭意検討を行った結果、床パネル本体と接着性の高い硬質相としての樹脂成分と軟質相としてのゴム成分からなるエラストマー（３）を床面に積層することにより、剥離し難い床面層を形成できると共に防水性や耐久性及び長期的な弾力性が得られることを見出し、本発明を完成するに至った。
【０００６】
発明で使用されるエラストマーは、床パネルの床パネル本体の上面にある床面にみだりに剥離されない程度に積層されつつ弾性力を有するものであれば適宜選択でき、組成としては硬質相としての樹脂成分と軟質相としてのゴム成分からなり、架橋型又は非架橋型のいずれでも熱可塑性又は熱硬化性のいずれでもよい。なお、以下に硬質相と軟質相の具体例を挙げるが、これらを適宜組み合わせることによりエラストマーを適宜選択することができ、また、上記床面部と上記床パネル本体の間に補強繊維を介装することにより、さらに床パネルとしての曲げ強度が向上することを見出だした。
【０００７】
該エラストマーの硬質相の具体的な例としては、ポリスチレン、ポリエチレンやポリプロピレンなどのポリオレフイン、ポリエステル、ポリウレタン、ポリアミド、金属カルボキシレートイオンクラスター、トランスー１，４ーポリイソプレン、シンジオタクチツク１，２ポリブタジエン、結晶ポリ塩化ビニル、結晶ポリエチレン、フッ素樹脂などの単体又は複合体がある。
【０００８】
一方、該エラストマーの軟質相の具体的なの例としては、ポリブタジエン、ポリイソプレン、水素添加ポリブタジエン、ＥＰＤＭ（エチレン−プロピレン−ジエン共重合ゴム加硫物）、ブチルゴム、ポリエーテル、ポリエステル、非結晶ポリエチレン、非結晶ポリイソプレン、非結晶ポリブタジエン、非結晶ポリ塩化ビニル、塩素化ポリエチレン、フッ素ゴムなどの単体又は複合体がある。
【０００９】
なお、熱可塑性エラストマーの具体的な例としては、ポリスチレン系熱可塑性エラストマー、ポリオレフイン系熱可塑性エラストマー、ポリウレタン系熱可塑性エラストマー、ポリエステル系熱可塑性エラストマー、ポリアミド系熱可塑性エラストマー、１，２−ポリブタジエン系熱可塑性エラストマー、エチレン−酢酸ビニル系熱可塑性エラストマー、ポリ塩化ビニル系熱可塑性エラストマー、天然ゴム系熱可塑性エラストマー、フッ素ゴム系熱可塑性エラストマー、トランス−ポリイソブレン系熱可塑性エラストマー、塩素化ポリエチレン系熱可塑性エラストマーなどがある。
【００１０】
本発明における発泡プラスチツクは、発泡剤の選定や添加量、気泡構造の選定などによって適宜選択使用でき、例えば、発泡ポリプロピレン、発泡ポリエチレン、発泡ポリ塩化ビニル、発泡ポリ塩化ビニリデン、発泡ポリフエニレンオキサイド、発泡変成ポリフェニレンオキサイド、発泡ポリフェニレンエーテル、スチレン−アクリロニトリルコポリマ、発泡ポリビニルアルコール、などの熱可塑性樹脂を基材にしたものや、発泡ポリウレタン、発泡フエノール樹脂、発泡ユリア樹脂、発泡エポキシ樹脂、発泡アクリル樹脂、発泡シリコーン、発泡ピラニル樹脂、発泡ポリイミド、などの熱硬化性樹脂を基材にしたものがある。
【００１１】
なお、上記補強繊維としては、合成樹脂に使用される従来公知の補強繊維を使用でき、例えば、ガラス繊維、カーボン繊維、金属繊維、ビニロン繊維、アラミド繊維、ナイロン繊維などがある。
【００１２】
なお、本発明に係る床パネルが複数枚で形成される場合、それぞれの接合部の係合は安定的に係合できるものであればいかなる係合構造でもよく、表面にエラストマーを積層しているため、表面にＦＲＰを構成した場合より防水性の高い接合部を形成することができる。
【００１３】
【実施例】
本発明にかかる第一実施例を図１、図２及び図３（ａ）に開示する。図１は本発明の第一実施例にかかる床パネルを模式的に示した斜視図であり、図２は図１のＸ−Ｘ断面図であり、図３ａは床パネル部材同士の接合部を模式的に開示した縦断面図である。
【００１４】
この実施例の床パネルは、３枚の接合で床パネルとして略板状に形成される一方、その上面の回りに側壁Ｗ、Ｗ、Ｗ、Ｗを有する床パネルであり、発泡ポリウレタンで成型された床パネル本体１の床面２にポリウレタン系熱可塑性エラストマー３が積層されている。なお、図中、符号Ａ、Ｂ、Ｃは左端部用、中央用、右端部用の床パネル部材であり、床パネルとして本来設けられる排水溝などは説明上省略されている。
【００１５】
本実施例にあっては、床パネル本体と床表面をポリウレタン系の樹脂で構成して両者の接着性を高くしているため、表面層の剥離が生じにくいという効果を有する。また、本実施例にあっては、床面の表面をポリウレタン系熱可塑性エラストマーで形成しているため、床パネルとしての防水性や耐久性及び長期的な弾力性が良いという効果を有し、さらに接合部での表面にエラストマーを積層しているため、表面にＦＲＰを構成した場合より防水性の高い接合部を形成できるという効果を有する。
【００１６】
次に、第二実施例について説明する。第二実施例は、第一実施例で使用した図２に基づいて説明すれば、床パネルの縦断面を模式的に示した図２のエラストマー３と床パネル本体１との間に補強繊維としてのガラス繊維（図示省略）を介装したものである。
【００１７】
本実施例にあっては、第一実施例の床パネルよりさらに床パネルとしての耐久性をさらに高められるという効果を有する。
【００１８】
なお、図３（ｂ）〜（ｄ）に上記床パネルの接合部の他の例を開示する。これらは、接合部の表面に弾性力を有するエラストマー３を積層しているため、防水性の高い接合部を形成できるという効果を有する。なお、図中、符号４は防水用の充填剤であり、５は床パネル部材Ａ、Ｂの端部を接合させるためのカバー部材、符号６は該カバー部材５を床パネル部材につなぎ止めておくためのボルトとナットからなる係合部材である。
【００１９】
【発明の効果】
一枚又は複数枚の接合で所定の床の上に敷きつめられる床パネルにおいて、略板状に発泡プラスチツクで形成された床パネル本体と、該床パネル本体の上面に形成された床面部に積層されたエラストマーを有することを特徴とし、これにより表面層をＦＲＰとした場合よりも軽量で運搬・施工時の手間が軽減され、床パネルとしての防水性や耐久性及び長期的な弾力性が良く、さらには床面層が剥離し難いという効果を有する。
【００２０】
また、他の発明は、上記床面部と上記床パネル本体の間に補強繊維を介装したことを特徴とし、これにより上記発明よりもさらに床パネルとしての耐久性をさらに高められるという効果を有する。
【図面の簡単な説明】
【図１】本発明の第一実施例にかかる床パネルを模式的に示した斜視図である。
【図２】図１のＸ−Ｘ断面図である。
【図３】床パネル部材同士の接合部を模式的に開示した縦断面図である。
【符号の説明】
１  床パネル本体
２  床面部
３  エラストマー
【図１】
0003557249.tif 000002
【図２】
0003557249.tif 000003
【図３】
0003557249.tif 000004